(57)【要約】      （修正有）【課題】マッサージ効果の高いマッサージ用具を提供する。【解決手段】棒体よりなる握り柄１を設けるとともに、握り柄と一体化した延長部２を設け、延長部端を平面視略三角形に形成して当接部３とし、一方、当接部に接するとともに当接部に対し所定範囲内にて回動可能なる回動板４を設け、回動板下部に二股に垂下する下垂部を設け、下垂部間に、連結紐１０にて複数個のローラー球９を環状に束ねた球体ローラー部を設けた。【選択図】図１
0003212190.tif 000002
【実用新案登録請求の範囲】
【請求項１】
棒体よりなる握り柄を設けるとともに、該握り柄と一体化した延長部を設け、この延長部端を平面視略三角形に形成して当接部とし、一方、該当接部に接するとともに該当接部に対し所定範囲内にて回動可能なる回動板を設け、該回動板下部に二股に垂下する下垂部を設け、この下垂部間に、連結紐にて複数個のローラー球を環状に束ねた球体ローラー部を設けたことを特徴とする角度可変型マッサージ具。
【請求項２】
当接部に、当接部外周部分を下向き鈍角に折曲した折曲部を設けてなる請求項１記載の角度可変型マッサージ具。
【考案の詳細な説明】
【技術分野】
【０００１】  この考案は、人体湾曲部位のマッサージに適した角度可変型のマッサージ用具に関する。
【背景技術】
【０００２】  従来より、回転ローラーを有した人体用マッサージ用具が多用されているが、本案にて示すように、ローラー位置とローラー角度の変化機能を有したマッサージ用具は見当たらない。
【考案の概要】
【考案が解決しようとする課題】
【０００３】  肉体を過度に用いることにて血行不良現象が発生し、筋肉使用にて疲労物質としての乳酸が発生する。その象徴的な現象として肩こりがある。血行をよくすることにて肩こりの解消へとつながるため、従来手法として、入浴や肩たたきなどがよく行われている。
人体への刺激にて血行が改善されるのである。また、ローラーを有するマッサージ用具もよく用いられる。これは例えば、柄の先に複数個の転動可能なるローラーを設けて、柄を手に持ってこのローラーを人体部位にあてがい、このローラーを転動させることにて人体に刺激を与えて血行を改善するものである。
しかし、人体は曲面にて形成されており、この曲面に沿っての人体刺激が有効なのであるが、ローラー使用時における人体へのローラーのフィット感に欠けるものが大半であり、より有効なるマッサージ用具が求められている。
本案は以上に鑑み、ローラー位置とローラー角度変化可能なるマッサージ用具を形成することにて、従来品よりマッサージ効果の高い新規かつ有用なるマッサージ具を提供することを目的として発案されたものである。
【課題を解決するための手段】
【０００４】  課題を解決する手段として本案は以下の構成とした。
すなわち、棒体よりなる握り柄を設けるとともに、該握り柄と一体化した延長部を設け、この延長部端を平面視略三角形に形成して当接部とし、一方、該当接部に接するとともに該当接部に対し所定範囲内にて回動可能なる回動板を設け、該回動板下部に二股に垂下する下垂部を設け、この下垂部間に、連結紐にて複数個のローラー球を環状に束ねた球体ローラー部を設ける。
本案は以上の構成よりなる角度可変型マッサージ具である。
【考案の効果】
【０００５】  本案によれば、連結紐にて環状に形成された球体ローラー部を回動板の下垂部に設けた構成なので、人体にこのローラー部を押圧接触させたときに、ローラーは人体曲面に沿って位置変化を起こすので、従来品に比べてより大きな接触面積を得ながらマッサージを行うことができ、より効果的にマッサージをすることができる。
また、当接部に対して回動板はボルト軸芯を回動中心として所定角度範囲内にて回動可能のため、ローラー部が人体曲面に容易に追随して動くので、マッサージ作業時の柄の持ち替えを不要として、楽に能率よくマッサージ作業を行うことができる。
【図面の簡単な説明】
【０００６】
【図１】本考案の平面図
【図２】本考案の正面図
【図３】本考案のローラー位置変化例図
【図４】本考案の左側面図
【図５】本考案の当接部説明図（一部略）
【図６】本考案の他例当接部説明図（一部略）
【考案を実施するための最良の形態】
【０００７】  以下、本考案の実施形態について説明する。
図において、１は握り柄で、合成樹脂製の棒体である。２は延長部で、金属板体を断面逆Ｕ字形に折曲するとともに、その一端は前記握り柄に挿通固定され、他端は平面視略三角形状に形成されて当接部３となる。この当接部の略中央には孔が穿設される。
４は合成樹脂製の回動板である。この回動板は図２にてしめすように、正面視において鈍角折曲形状を有するとともに、左側面視において略コ字形を有して二股に下垂する下垂部５を有している。また、この下垂部下端近傍には紐挿通孔６が各々穿設され、さらに回動板の平面視略中央に孔が穿設される。【０００８】  当接部の孔と回動板の孔は重ね合わされて、各孔位置を一致させ、図２にて示すようにボルト７とナット８を用いてややゆるく締結される。この状態において、当接部に対し回動板は所定角度範囲内にて適度の抵抗を有して回動自在となっている。
９はローラー球で、真球に近似した木製球体であり、その中央には紐通し孔が穿設されている。このローラー球の孔には連結紐１０が挿通され、本例では１２個のローラー球が連結紐にて環状に設けられている。下垂部の紐挿通孔にこの連結紐が挿通されて、図のごとく下垂部に環状にローラー球が位置する状態となり、球体ローラー部１１が形成される。
本案の使用に際しては、握り柄を手に持ち、球体ローラー部を人体に押圧接触させる。
このとき、ローラー部は図４の二点鎖線にて示すように位置が変化して人体曲面にフィットする状態となる。このまま柄を反復的に動かすことにてローラー部は人体曲面に沿ったまま転動して効果的に人体を刺激するために、よりマッサージ効果をアップさせることができる。【０００９】  図６は本案の他例を示すものである。初例においては当接部を平板状としたが、本例はこの当接部の外周部分を鈍角に下向き折曲させて折曲部２０を設けている。
これにより次の効果が生ずる。すなわち、初例はボルトとナットによる締結部近傍に当接部に対する回動板の締め付け力が働くために、この箇所の締め付けが万一緩むと回動板は当接板に対してすぐに回動してしまう不安定状態が発生する恐れがある。
しかし、本例は上記折曲部の作用で、この折曲部端が当接部に接するので、結果的にこの折曲部が線接触的に回動板に接するために、より安定した回動状態を得ることができる。【００１０】  なお、既述の例においては図にて示すようにダブルナット方式を用いて作業時のナットの緩みを防止するよう配慮している。連結紐の長さにて、球体ローラー部は図２のように水平を保ったり、あるいは図３にて示すように若干の下垂状態となったりする。
以上、本案について記したが、本案は人体曲面に沿ったマッサージができるところにその特徴がある。従来は、柄に直接にローラーが取り付けられており、人体への押圧接触がダイレクトに伝わる方式であり、また、取り付けられているローラー数も多くはなく、マッサージ範囲が狭いものであった。
これに対し本案は、環状紐に複数個のローラーがつながれており、そのために人体への押圧接触面積と範囲が大きいので、一度の作業にて広範囲の箇所をマッサージすることができる。また、連結紐には若干の伸縮性があるので、押圧接触にてこのローラー配列は図４のように変化して、人体曲面にフィットするものとなる。【００１１】  図２にて示すように、下垂部は下降するにつれて厚さが減少しており、それゆえにたわみ効果が得られる。従って、紐の伸縮とこのたわみにて、人体へのソフトな押圧接触となって、自然なマッサージ効果が得られる。図２にて示すように、柄に対して鋭角に下垂部が設けられており、マッサージの押圧にてこの鋭角が直角へと移行しつつその弾力を有効利用することができる。本案は環状の球体ローラー部としている。従って、マッサージ部分にまず環状のローラー部が押圧当接し、そのまま柄を動かすことによって、他方のローラー部が当接する二段マッサージを行うことができて、より効果的にマッサージをすることができる。【００１２】  また、本案は既述構成により柄に対する平面視におけるローラー部の回動が可能のため、使用時における人体曲面への追随性に優れたものとなっている。
以上のごとく、本案はより高いマッサージ効果とその応用が可能となる数々の特徴を有するものである。なお、本案はその構成から曲面的に顕著なるふくらはぎのマッサージにとりわけ適している。なお、既述の例は実施の一例であって近似の他の構成としてもよい。
以上のように、本案によってよりマッサージ効果を発揮することのできる有用なる物品を得ることができる。
【符号の説明】
【００１３】  １  握り柄
２  延長部
３  当接部
４  回動板
５  下垂部
６  紐挿通孔
７  ボルト
８  ナット
９  ローラー球
１０  連結紐
１１  球体ローラー部
２０  折曲部
【図１】
0003212190.tif 000003
【図２】
0003212190.tif 000004
【図３】
0003212190.tif 000005
【図４】
0003212190.tif 000006
【図５】
0003212190.tif 000007
【図６】
0003212190.tif 000008